(57)【要約】【課題】速やかに著作物を楽しみたいという基本的な要請に応じるとともに、第三者による著作権侵害を防止することができる端末装置等を提供すること。【解決手段】著作物情報を記録した記録装置３０を有する端末装置２０であって、端末装置２０の起動時に、測位衛星１２ａ等からの信号である衛星信号に基づいて、端末装置２０の測位位置を示す測位位置情報を生成する測位位置情報生成手段と、測位位置が予定使用位置範囲内Ｚか否かを判断する測位位置評価手段と、測位位置評価手段の判断結果に基づいて、端末装置２０の使用者に対して、記録装置３０へのアクセスのための承認情報の入力を要求することなく記録装置３０を起動する承認情報不要求起動処理、又は、記録装置３０へのアクセスのための承認情報の入力を要求する承認情報要求処理のいずれか一方を実施する記録装置アクセス制御手段等を有する。【選択図】図３
2007115354.tif 000002
【特許請求の範囲】
【請求項１】
著作物情報を記録した記録装置を有する端末装置であって、
正当使用者によって設定される位置範囲である予定使用位置範囲を示す予定使用位置範囲情報を格納する予定使用位置範囲情報格納手段と、
前記端末装置の起動時に、測位衛星からの信号である衛星信号に基づいて、前記端末装置の測位位置を示す測位位置情報を生成する測位位置情報生成手段と、
前記測位位置が前記予定使用位置範囲内か否かを判断する測位位置評価手段と、
前記測位位置評価手段の判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御手段と、
前記承認情報の入力を要求してから、予め規定された入力許容時間が経過したか否かを判断する入力許容時間経過判断手段と、  
前記使用者によって入力された前記承認情報が、前記端末装置に予め記録している登録承認情報と一致しているか否かを判断する承認情報評価手段と、
前記入力許容時間経過判断手段の判断結果、又は、前記承認情報評価手段の判断結果に基づいて、前記端末装置の全機能を停止する全機能停止手段と、
を有することを特徴とする端末装置。
【請求項２】
前記著作物情報は、音楽の著作物を示す情報であって、
前記端末装置は、携帯可能であることを特徴とする請求項１に記載の端末装置。
【請求項３】
前記承認情報評価手段の判断結果に基づいて、前記記録装置に記録した前記著作物情報を消去する著作物情報消去手段を有することを特徴とする請求項１又は請求項２のいずれかに記載の端末装置。
【請求項４】
前記測位位置情報生成手段は、さらに、予め規定された規定時間間隔において、前記測位位置情報を生成する構成となっていることを特徴とする請求項１乃至請求項３のいずれかに記載の端末装置。
【請求項５】
著作物情報を記録した記録装置を有する端末装置が、前記端末装置の起動時に、測位衛星からの信号である衛星信号に基づいて、前記端末装置の測位位置を示す測位位置情報を生成する測位位置情報生成ステップと、
前記端末装置が、前記測位位置が正当使用者によって設定される位置範囲である予定使用位置範囲内か否かを判断する測位位置評価ステップと、
前記端末装置が、前記測位位置評価ステップにおける判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御ステップと、
前記端末装置が、前記承認情報の入力を要求してから、予め規定された入力許容時間が経過したか否かを判断する入力許容時間経過判断ステップと、
前記端末装置が、前記使用者によって入力された前記承認情報が、前記端末装置に予め記録している登録承認情報と一致しているか否かを判断する承認情報評価ステップと、
前記端末装置が、前記入力許容時間経過判断ステップにおける判断結果、又は、前記承認情報評価ステップにおける判断結果に基づいて、前記端末装置の全機能を停止する全機能停止ステップと、
を有することを特徴とする端末装置の制御方法。
【請求項６】
コンピュータに、
著作物情報を記録した記録装置を有する端末装置が、前記端末装置の起動時に、測位衛星からの信号である衛星信号に基づいて、前記端末装置の測位位置を示す測位位置情報を生成する測位位置情報生成ステップと、
前記端末装置が、前記測位位置が正当使用者によって設定される位置範囲である予定使用位置範囲内か否かを判断する測位位置評価ステップと、
前記端末装置が、前記測位位置評価ステップにおける判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御ステップと、
前記端末装置が、前記承認情報の入力を要求してから、予め規定された入力許容時間が経過したか否かを判断する入力許容時間経過判断ステップと、
前記端末装置が、前記使用者によって入力された前記承認情報が、前記端末装置に予め記録している登録承認情報と一致しているか否かを判断する承認情報評価ステップと、
前記端末装置が、前記入力許容時間経過判断ステップにおける判断結果、又は、前記承認情報評価ステップにおける判断結果に基づいて、前記端末装置の全機能を停止する全機能停止ステップと、
を実行させることを特徴とする端末装置の制御プログラム。
【請求項７】
コンピュータに、
著作物情報を記録した記録装置を有する端末装置が、前記端末装置の起動時に、測位衛星からの信号である衛星信号に基づいて、前記端末装置の測位位置を示す測位位置情報を生成する測位位置情報生成ステップと、
前記端末装置が、前記測位位置が正当使用者によって設定される位置範囲である予定使用位置範囲内か否かを判断する測位位置評価ステップと、
前記端末装置が、前記測位位置評価ステップにおける判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御ステップと、
前記端末装置が、前記承認情報の入力を要求してから、予め規定された入力許容時間が経過したか否かを判断する入力許容時間経過判断ステップと、
前記端末装置が、前記使用者によって入力された前記承認情報が、前記端末装置に予め記録している登録承認情報と一致しているか否かを判断する承認情報評価ステップと、
前記端末装置が、前記入力許容時間経過判断ステップにおける判断結果、又は、前記承認情報評価ステップにおける判断結果に基づいて、前記端末装置の全機能を停止する全機能停止ステップと、
を実行させることを特徴とする端末装置の制御プログラムを記録したコンピュータ読み取り可能な記録媒体。
【発明の詳細な説明】
【技術分野】
【０００１】
本発明は、著作権保護機能付の端末装置、端末装置の制御方法、端末装置の制御プログラム、端末装置の制御プログラムを記録したコンピュータ読み取り可能な記録媒体に関するものである。
【背景技術】
【０００２】
近年、ＨＤＤ（Ｈａｒｄ  Ｄｉｓｋ  Ｄｒｉｖｅ：ハードディスクドライブ装置）に音楽データを記録して再生することができるハードディスク付の携帯音楽プレーヤー（以下、端末装置と呼ぶ）が実用化されている。このような端末装置に格納された音楽データの利用は、料金を支払ってその音楽データを購入した者（以下、正当使用者と呼ぶ）に対して、音楽の著作物の著作権を侵害しない範囲において許容されている。
ところが、例えば、端末装置が正当使用者以外の第三者に窃取されるような場合には、ＨＤＤに記録した音楽データが不当に複製される等によって、当該音楽の著作物の著作権が侵害されるおそれがある。
第三者の不正アクセス防止に関連しては、情報処理装置の入出力デバイスごとにロックの指定と解除を行う技術が提案されている（例えば、特許文献１）。
【特許文献１】特開平１０−１７７５２４号公報（図１等）
【発明の開示】
【発明が解決しようとする課題】
【０００３】
しかし、上述の従来技術においては、正当使用者であってもパスワードの入力しなければ、入出力デバイスを利用することができない。このため、正当使用者が、速やかに音楽を楽しみたいという基本的な要請に応じることができないという問題がある。
【０００４】
そこで、本発明は、正当使用者が、速やかに著作物を楽しみたいという基本的な要請に応じるとともに、第三者による著作権侵害を防止することができる端末装置、端末装置の制御方法、端末装置の制御プログラム、端末装置の制御プログラムを記録したコンピュータ読み取り可能な記録媒体を提供することを目的とする。
【課題を解決するための手段】
【０００５】
前記目的は、第１の発明によれば、著作物情報を記録した記録装置を有する端末装置であって、正当使用者によって設定される位置範囲である予定使用位置範囲を示す予定使用位置範囲情報を格納する予定使用位置範囲情報格納手段と、前記端末装置の起動時に、測位衛星からの信号である衛星信号に基づいて、前記端末装置の測位位置を示す測位位置情報を生成する測位位置情報生成手段と、前記測位位置が前記予定使用位置範囲内か否かを判断する測位位置評価手段と、前記測位位置評価手段の判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御手段と、前記承認情報の入力を要求してから、予め規定された入力許容時間が経過したか否かを判断する入力許容時間経過判断手段と、前記使用者によって入力された前記承認情報が、前記端末装置に予め記録している登録承認情報と一致しているか否かを判断する承認情報評価手段と、前記入力許容時間経過判断手段の判断結果、又は、前記承認情報評価手段の判断結果に基づいて、前記端末装置の全機能を停止する全機能停止手段と、を有することを特徴とする端末装置により達成される。
【０００６】
第１の発明の構成によれば、前記端末装置は、前記記録装置アクセス制御手段を有するから、前記測位位置が前記予定使用位置範囲内であれば、前記記録装置の起動処理を実施し、前記記録装置へのアクセスを直ちに可能にすることができる。
一方、前記記録装置アクセス制御手段は、前記測位位置が前記予定使用位置範囲内ではない場合には、前記承認情報要求処理を実施することができる。そして、前記承認情報評価手段によって、前記使用者によって入力された承認情報が、前記端末装置に予め記録している登録承認情報と一致していないと判断した場合には、前記全機能停止手段によって前記端末装置の全機能を停止することができる。
これにより、正当使用者が、速やかに著作物を楽しみたいという基本的な要請に応じるとともに、第三者による著作権侵害を防止することができる。
【０００７】
第２の発明は、第１の発明の構成において、前記著作物情報は、音楽の著作物を示す情報であって、前記端末装置は、携帯可能であることを特徴とする端末装置である。
【０００８】
第２の発明の構成によれば、携帯可能な端末装置の正当使用者が速やかに音楽の著作物を楽しみたいという基本的な要請に応じるとともに、第三者による著作権侵害を防止することができる。
【０００９】
第３の発明は、第１の発明又は第２の発明のいずれかの構成において、前記承認情報評価手段の判断結果に基づいて、前記記録装置に記録した前記著作物情報を消去する著作物情報消去手段を有することを特徴とする端末装置である。
【００１０】
第３の発明の構成によれば、前記端末装置は、前記承認情報評価手段によって、前記使用者によって入力された承認情報が、前記端末装置に予め記録している登録承認情報と一致していないと判断した場合には、前記著作物情報消去手段によって前記記録装置に記録した前記著作物情報を消去することができる。
これにより、第三者による著作権侵害を完全に防止することができる。
【００１１】
第４の発明は、第１の発明乃至第３の発明のいずれかの構成において、前記測位位置情報生成手段は、さらに、予め規定された規定時間間隔において、前記測位位置情報を生成する構成となっていることを特徴とする端末装置である。
【００１２】
第４の発明の構成によれば、前記測位位置情報生成手段は、予め規定された規定時間間隔において、前記測位位置情報を生成する構成となっているから、例えば、第三者が前記予定使用位置範囲内において一度前記端末装置を起動し、その後、前記予定使用位置範囲外に出た場合に、前記記録装置に記録した前記著作物の利用を制限することができる。
【００１３】
前記目的は、第５の発明によれば、著作物情報を記録した記録装置を有する端末装置が、前記端末装置の起動時に、測位衛星からの信号である衛星信号に基づいて、前記端末装置の測位位置を示す測位位置情報を生成する測位位置情報生成ステップと、前記端末装置が、前記測位位置が正当使用者によって設定される位置範囲である予定使用位置範囲内か否かを判断する測位位置評価ステップと、前記端末装置が、前記測位位置評価ステップにおける判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御ステップと、前記端末装置が、前記承認情報の入力を要求してから、予め規定された入力許容時間が経過したか否かを判断する入力許容時間経過判断ステップと、前記端末装置が、前記使用者によって入力された前記承認情報が、前記端末装置に予め記録している登録承認情報と一致しているか否かを判断する承認情報評価ステップと、前記端末装置が、前記入力許容時間経過判断ステップにおける判断結果、又は、前記承認情報評価ステップにおける判断結果に基づいて、前記端末装置の全機能を停止する全機能停止ステップと、を有することを特徴とする端末装置の制御方法によって達成される。
【００１４】
第５の発明の構成によれば、第１の発明の構成と同様に、正当使用者が、速やかに著作物を楽しみたいという基本的な要請に応じるとともに、第三者による著作権侵害を防止することができる。
【００１５】
前記目的は、第６の発明によれば、コンピュータに、著作物情報を記録した記録装置を有する端末装置が、前記端末装置の起動時に、測位衛星からの信号である衛星信号に基づいて、前記端末装置の測位位置を示す測位位置情報を生成する測位位置情報生成ステップと、前記端末装置が、前記測位位置が正当使用者によって設定される位置範囲である予定使用位置範囲内か否かを判断する測位位置評価ステップと、前記端末装置が、前記測位位置評価ステップにおける判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御ステップと、前記端末装置が、前記承認情報の入力を要求してから、予め規定された入力許容時間が経過したか否かを判断する入力許容時間経過判断ステップと、前記端末装置が、前記使用者によって入力された前記承認情報が、前記端末装置に予め記録している登録承認情報と一致しているか否かを判断する承認情報評価ステップと、前記端末装置が、前記入力許容時間経過判断ステップにおける判断結果、又は、前記承認情報評価ステップにおける判断結果に基づいて、前記端末装置の全機能を停止する全機能停止ステップと、を実行させることを特徴とする端末装置の制御プログラムによって達成される。
【００１６】
前記目的は、第７の発明によれば、コンピュータに、著作物情報を記録した記録装置を有する端末装置が、前記端末装置の起動時に、測位衛星からの信号である衛星信号に基づいて、前記端末装置の測位位置を示す測位位置情報を生成する測位位置情報生成ステップと、前記端末装置が、前記測位位置が正当使用者によって設定される位置範囲である予定使用位置範囲内か否かを判断する測位位置評価ステップと、前記端末装置が、前記測位位置評価ステップにおける判断結果に基づいて、前記端末装置の使用者に対して、前記記録装置へのアクセスのための承認情報の入力を要求することなく前記記録装置を起動する承認情報不要求起動処理、又は、前記記録装置へのアクセスのための承認情報の入力を要求する承認情報要求処理のいずれか一方を実施する記録装置アクセス制御ステップと、  前記端末装置が、前記承認情報の入力を要求してから、予め規定された入力許容時間が経過したか否かを判断する入力許容時間経過判断ステップと、前記端末装置が、前記使用者によって入力された前記承認情報が、前記端末装置に予め記録している登録承認情報と一致しているか否かを判断する承認情報評価ステップと、前記端末装置が、前記入力許容時間経過判断ステップにおける判断結果、又は、前記承認情報評価ステップにおける判断結果に基づいて、前記端末装置の全機能を停止する全機能停止ステップと、を実行させることを特徴とする端末装置の制御プログラムを記録したコンピュータ読み取り可能な記録媒体によって達成される。
【発明を実施するための最良の形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１８】
（第１の実施形態）
図１は、本発明の第１の実施形態の著作権保護システム１０を示す概略図である。
図１に示すように、不正使用防止システム１０は、携帯音楽プレーヤー２０（以後、端末と呼ぶ）を有する。端末２０は携帯可能な端末装置である。この端末２０は、音楽データを記録したＨＤＤ（Ｈａｒｄ  Ｄｉｓｋ  Ｄｒｉｖｅ）３０を有する。音楽データは著作物情報の一例であり、音楽の著作物のを示す情報の一例でもある。そして、ＨＤＤ３０は記録装置の一例であり、端末２０は端末装置の一例である。
端末２０は、その使用者甲（図示せず）の所有物であり、甲は端末２０内の音楽データをその著作権を侵害しない範囲で利用することができる。すなわち、甲は正当使用者である。
甲は、例えば、甲の自宅１４の位置Ｐを中心とする半径１０メートル（ｍ）の範囲である登録位置範囲Ｚ（以下、範囲Ｚと呼ぶ）において、端末２０を使用する。ただし、端末２０は、携帯音楽プレーヤーであるから、甲は、範囲Ｚ以外の場所においても、端末２０を使用する。
【００１９】
また、端末２０は、ＧＰＳ（Ｇｌｏｂａｌ  Ｐｏｓｉｔｉｏｎｉｎｇ  Ｓｙｓｔｅｍ）装置４０を有し、ＧＰＳ衛星１２ａ，１２ｂ，１２ｃ及び１２ｄからの信号である例えば、信号Ｓ１，Ｓ２，Ｓ３及びＳ４を受信することができる。ＧＰＳ衛星１２ａ等は測位衛星の一例であり、信号Ｓ１等は衛星信号の一例である。
【００２０】
なお、端末装置の一例として携帯音楽プレーヤー２０を記載したが、端末装置は著作物情報を格納する移動端末（持ち運び可能な移動端末）であればよく、例えば、プロジェクター、プリンタ、携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であってもよい。
【００２１】
（端末２０の主なハードウエア構成について）
図２は端末２０の主なハードウエア構成を示す概略図である。
図２に示すように、端末２０は、バス２２を有する。
このバス２２には、ＣＰＵ（Ｃｅｎｔｒａｌ  Ｐｒｏｃｅｓｓｉｎｇ  Ｕｎｉｔ）２４、ＲＡＭ（Ｒａｎｄｏｍ  Ａｃｃｅｓｓ  Ｍｅｍｏｒｙ）２６、ＲＯＭ（Ｒｅａｄ  Ｏｎｌｙ  Ｍｅｍｏｒｙ）２８、及びＨＤＤ３０が接続されている。
ＨＤＤ３０は、ロック機構３２を含み、後述するように、ＨＤＤ３０へのアクセスを遮断することができるようになっている。なお、ロック機構３２は、例えば、バス２２からＨＤＤ３０への接続回路を遮断して、ＨＤＤ３０へのアクセスを遮断するようになっている。
【００２２】
また、このバス２２には、使用者甲のパーソナルコンピューター（図示せず）との間でデータを授受するためのＰＣインターフェース３４、電源装置３６、各種情報等を入力するための入力装置３８が接続されている。
また、このバス２２には、ＧＰＳ装置４０、各種情報を表示するための表示装置４２、時計４４が接続されている。
【００２３】
（端末２０の主なソフトウエア構成について）
図３は、端末２０の主なソフトウエア構成を示す概略図である。
図３に示すように、端末２０は、各部を制御する制御部１００、図２のロック機構３２に対応するＨＤＤロック機構部１０１、入力装置３８に対応する入力部１０２、ＧＰＳ装置４０に対応するＧＰＳ部１０３、表示装置４２に対応する表示部１０４、時計４４に対応する計時部１０５を有する。
【００２４】
また、図３に示すように、端末２０は、各種プログラムを格納する第１記憶部１１０、各種情報を格納する第２記憶部１５０を有する。
【００２５】
図３に示すように、端末２０は、第２記憶部１５０に、音楽データ１５２を格納している。音楽データ１５２は、例えば、歌謡曲や楽器演奏の音声データである。端末２０は、後述のHDD起動制御プログラム１１６による第１処理が実施されるまでは、ＨＤＤロック機構部１０２によって、ＨＤＤ３０への接続回路を遮断している。
【００２６】
また、図３に示すように、端末２０は、第２記憶部１５０に、パスワードαを示すＨＤＤ起動用パスワード情報１５４を格納している。このＨＤＤ起動用パスワード情報１５４は、範囲Ｚ（図１参照）外において端末２０を使用するときに、ＨＤＤ３０（図２参照）を起動するために必要な情報である。このＨＤＤ起動用パスワード情報１５４は、端末２０の使用者甲が、端末２０に予め登録している。ＨＤＤ起動用パスワード情報１５４は、例えば、ａａｂｂｃｃという英文字列である。ＨＤＤ起動用パスワード情報１５４は、登録承認情報の一例である。
【００２７】
また、図３に示すように、端末２０は、第２記憶部１５０に、衛星軌道情報１５６を格納している。衛星軌道情報１５６は、すべてのＧＰＳ衛星１２ａ等（図１参照）の概略の衛星軌道を示すアルマナック１５６ａ及び、各ＧＰＳ衛星１２ａ等の精密な衛星軌道を示すエフェメリス１５６ｂを含む。端末２０は、衛星軌道情報１５６を、測位のために使用する。
【００２８】
また、図３に示すように、端末２０は、第２記憶部１５０に、登録位置範囲Ｚを示す登録位置範囲情報１５８を格納している。登録位置範囲Ｚは、使用者甲によって設定される。この登録位置範囲Ｚは予定使用位置範囲の一例であり、登録位置範囲情報１５８は予定使用位置範囲情報の一例である。そして、第２記憶部１５０は、予定使用位置範囲情報格納手段の一例である。
【００２９】
図３に示すように、端末２０は、第１記憶部１１０に規定間隔測位プログラム１１２を格納している。規定間隔測位プログラム１１２は、制御部１００が、端末２０の起動時、及び、起動後において規定時間間隔である例えば、１２時間（ｈ）ごとに、端末２０の測位位置Ｑを示す測位位置情報１６０を生成するためのプログラムである。測位位置情報１６０は測位位置情報の一例である。上述の規定間隔測位プログラム１１２と制御部１００は、測位位置情報生成手段である。
具体的には、制御部１００は、端末２０の起動時に、ＧＰＳ部１０３によって少なくとも３個のＧＰＳ衛星１２ａ等から信号Ｓ１等を受信し、その信号Ｓ１等に基づいて現在位置を測位する。
また、制御部１００は、端末２０の起動後においても、規定間隔時間である１２時間（ｈ）ごとに、信号Ｓ１等を受信して現在位置を測位する。なお、この規定時間間隔は、使用者甲によって予め規定されている。  
【００３０】
図３に示すように、端末２０は、第１記憶部１１０に測位位置評価プログラム１１４を格納している。測位位置評価プログラム１１４は、制御部１００が、測位位置Ｑが、範囲Ｚ内か否かを判断するためのプログラムである。すなわち、測位位置評価プログラム１１４と制御部１００は、測位位置評価手段の一例である。
【００３１】
図３に示すように、端末２０は、第１記憶部１１０にＨＤＤ起動制御プログラム１１６を格納している。ＨＤＤ起動制御プログラム１１６は、制御部１００が、ＨＤＤ３０（図２参照）の起動を制御するためのプログラムである。
具体的には、制御部１００は、上述の測位位置評価プログラム１１４によって測位位置Ｑが範囲Ｚ内であると判断した場合には、使用者甲に対してパスワードの入力を要求することなくＨＤＤロック機構１０１によるＨＤＤ３０のロックを解除して、ＨＤＤ３０を起動する第１処理を実施する。第１処理は、承認情報不要求起動処理の一例である。
これに対して、制御部１００は、上述の測位位置評価プログラム１１４によって測位位置Ｑが範囲Ｚ内ではないと判断した場合には、使用者甲に対してパスワードの入力を要求する第２処理を実施する。第２処理は、承認情報要求処理の一例である。制御部１００は、例えば、表示装置４２の表示画面に、「パスワードを入力して下さい」というメッセージを表示する。制御部１００は、入力装置３８によってパスワードの入力を受けると、使用者によって入力された入力パスワードβを示す入力パスワード情報１６２として第２記憶部１５０に格納する。入力パスワード情報１６２は、承認情報の一例である。
制御部１００は、上述の測位位置評価プログラム１１４による判断結果に基づいて、第１処理又は第２処理のいずれか一方を実施するようになっている。すなわち、ＨＤＤ起動制御プログラム１１６と制御部１００は、記録装置アクセス制御手段の一例である。
【００３２】
図３に示すように、端末２０は、第１記憶部１１０に入力許容時間経過判断プログラム１１８を格納している。入力許容時間経過判断プログラム１１８は、制御部１００が、上述のＨＤＤ起動制御プログラム１１６によって最初にパスワードの要求をしてから、予め規定した入力許容時間か経過したか否かを判断するためのプログラムである。入力許容時間は、例えば、２分間である。この入力許容時間経過判断プログラム１１８と制御部１００は、入力許容時間経過判断プログラムの一例である。
【００３３】
図３に示すように、端末２０は、第１記憶部１１０にパスワード評価プログラム１２０を格納している。パスワード評価プログラム１２０は、制御部１００が、使用者によって入力された入力パスワードβが、登録パスワードαと一致するか否かを判断するためのプログラムである。すなわち、パスワード評価プログラム１２０と制御部１００は、承認情報評価手段の一例である。
【００３４】
図３に示すように、端末２０は、第１記憶部１１０に電源切断プログラム１２２を格納している。電源切断プログラム１２２は、制御部１００が、上述の入力許容時間経過判断プログラム１１８による判断結果、又は、パスワード評価プログラム１２０による判断結果に基づいて、端末２０の電源装置３６の電源を切断し、端末２０の全機能を停止するためのプログラムである。すなわち、電源切断プログラム１２２と制御部１００は、全機能停止手段の一例である。
具体的には、制御部１００は、上述のＨＤＤ起動制御プログラム１１６によってパスワードの要求をした後に、パスワードの入力がされない状態で、予め規定した入力許容時間である２分が経過した場合に、電源装置３６の電源を切断する。
また、制御部１００は、上述のパスワード評価プログラム１２０によって、入力パスワードβが登録パスワードαと一致しないと判断し、さらに、同様の判断が２回続いた場合に、電源装置３６の電源を切断する。すなわち、登録パスワードαと一致しない入力パスワードβの入力が３回行われた場合に、電源装置３６の電源を切断する。
【００３５】
端末２０は上述のように構成されている。
上述のように、端末２０は、測位位置Ｑが範囲Ｚ（図１参照）内であれば、ＨＤＤ３０の起動処理を実施し、ＨＤＤ３０へのアクセスを直ちに可能にすることができる。これにより、端末２０の正当使用者である甲は、ただちに音楽を楽しむことができる。
一方、端末２０は、測位位置Ｑが範囲Ｚ内ではない場合には、使用者に対してパスワードの入力を要求する第２処理（図３参照）を実施することができる。そして、使用者によって一定時間パスワードの入力がないと判断した場合、又は、入力された入力パスワードβが、端末２０に予め登録されているパスワードαと一致していないと判断した場合には、端末２０の全機能を停止することができる。
これにより、正当使用者が、速やかに著作物を楽しみたいという基本的な要請に応じるとともに、第三者による著作権侵害を防止することができる。
【００３６】
また、端末２０は、起動時に測位位置情報１６０を生成した後、予め規定された規定時間間隔において、測位位置情報１６０を生成する構成となっているから、例えば、第三者が範囲Ｚ内において一度端末２０を起動し、その後、範囲Ｚ外に出た場合に、ＨＤＤ３０に記録した音楽データの利用を制限することができる。
【００３７】
（著作権保護システム１０の動作例について）
以上が本実施の形態に係る著作権保護システム１０の構成であるが、以下、その動作例を主に図４を使用して説明する。
【００３８】
図４は本実施の形態に係る著作権保護システム１０の動作例を示す概略フローチャートである。
まず、端末２０が、電源ボタン（図示せず）が押下されたか否かを判断し（図４のステップＳＴ１）、電源ボタンが押下されたと判断すると、測位位置情報１６０（図３参照）を生成する（ステップＳＴ２）。このステップＳＴ２は、測位位置情報生成ステップの一例である。
【００３９】
続いて、端末２０は、第２記憶部１５０に格納されている登録位置範囲情報１５８を読み込む（ステップＳＴ３）。
続いて、端末２０は、測位位置Ｑ（図３参照）が登録位置範囲Ｚ（図３参照）内か否かを判断する（ステップＳＴ４）。このステップＳＴ４は、測位位置評価ステップの一例である。
【００４０】
ステップＳＴ４において、端末２０が、測位位置Ｑが登録位置範囲Ｚ内であると判断すると、その使用者にパスワードの入力を要求することなくＨＤＤ３０（図２参照）を起動する（ステップＳＴ５）。
【００４１】
これに対して、ステップＳＴ４において、端末２０が、測位位置Ｑが登録位置範囲Ｚ内ではないと判断すると、その使用者にパスワードの入力を要求する（ステップＳＴ４１）。
上述のステップＳＴ４及びステップＳＴ４１は、記録装置アクセス制御ステップの一例である。
【００４２】
ステップＳＴ４１の後、端末２０は、最初にパスワードを要求してから、入力許容時間が経過したか否かを判断する（ステップＳＴ４２）。このステップＳＴ４２は、入力許容時間経過判断ステップの一例である。
ステップＳＴ４２において、端末２０が、最初にパスワードを要求してから、入力許容時間が経過したと判断すると、電源切断処理を行う（ステップＳＴ４６）。このステップＳＴ４６は、全機能停止ステップの一例である。
【００４３】
これに対して、ステップＳＴ４２において、端末２０は、最初にパスワードを要求してから、入力許容時間が経過していない判断すると、パスワードの入力あったか否かを判断し（ステップＳＴ４３）、パスワードの入力があったと判断した場合には、パスワードを認証するか否かを判断する（ステップＳＴ４４）。このステップＳＴ４４は、認証情報評価ステップの一例である。
ステップＳＴ４４において、端末２０が、パスワードを認証しないと判断すると、パスワードを認証しないという判断が３回目か否かを判断する（ステップＳＴ４５）。
【００４４】
ステップＳＴ４５において、パスワードを認証しないという判断が３回に達していないと判断すると、再びパスワードを要求する（ステップＳＴ４１）。
【００４５】
これに対して、ステップＳＴ４５において、パスワードを認証しないという判断が３回目であると判断すると、電源切断処理を行う（ステップＳＴ４６）。
【００４６】
上述のステップによって、正当使用者が、速やかに著作物を楽しみたいという基本的な要請に応じるとともに、第三者による著作権侵害を防止することができる。
【００４７】
（第２の実施形態）
次に、第２の実施形態の著作権保護システム１０Ａ（図１参照）について説明する。第２の実施形態の著作権保護システム１０Ａの構成は、上記第１の実施形態の著作権保護システム１０と多くの構成が共通するため共通する部分は同一の符号等とし、説明を省略し、以下、相違点を中心に説明する。
【００４８】
図５は、著作権保護システム１０Ａにおける端末２０Ａの主なソフトウエア構成を示す概略図である。
図５に示すように、端末２０Ａは、第１記憶部１１０に、音楽データ消去プログラム１２４を格納している。音楽データ消去プログラム１２４は、制御部１００が、パスワード評価プログラム１２０による判断結果に基づいて、第２記憶部１５０の音楽データ１５２を消去するためのプログラムである。すなわち、音楽データ消去プログラム１２４と制御部１００は、著作権情報消去手段の一例である。
具体的には、制御部１００は、登録パスワードαと一致しない入力パスワードβの入力が３回行われたと判断した場合に、音楽データ１５２を消去する。
これにより、第三者による著作権侵害を完全に防止することができる。
【００４９】
（プログラム及びコンピュータ読み取り可能な記録媒体等について）
コンピュータに上述の動作例の測位位置情報生成ステップと、測位位置評価ステップと、アクセス制御ステップと、入力許容時間経過判断ステップと、承認情報評価ステップと、全機能停止ステップ等を実行させるための端末装置の制御プログラムとすることができる。
また、このような端末装置の制御プログラム等を記録したコンピュータ読み取り可能な記録媒体等とすることもできる。
【００５０】
これら端末装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００５１】
本発明は、上述の各実施の形態に限定されない。さらに、上述の各実施の形態は、相互に組み合わせて構成するようにしてもよい。
【図面の簡単な説明】
【００５２】
【図１】本発明の実施の形態の著作権保護システムを示す概略図である。
【図２】端末の主なハードウエア構成を示す概略図である。
【図３】端末の主なソフトウエア構成を示す概略図である。
【図４】著作権保護システムの動作例を示す概略フローチャートである。
【図５】端末の主なソフトウエア構成を示す概略図である。
【符号の説明】
【００５３】
１０，１０Ａ・・・著作権保護システム、１２ａ，１２ｂ，１２ｃ，１２ｄ・・・ＧＰＳ衛星、２０，２０Ａ・・・携帯音楽プレーヤー（端末）、１１２・・・規定間隔測位プログラム、１１４・・・測位位置評価プログラム、１１６・・・・ＨＤＤ起動制御プログラム、１１８・・・入力許容時間経過判断プログラム、１２０・・・パスワード評価プログラム、１２２・・・電源切断プログラム、１２４・・・音楽データ消去プログラム
【図１】
2007115354.tif 000003
【図２】
2007115354.tif 000004
【図３】
2007115354.tif 000005
【図４】
2007115354.tif 000006
【図５】
2007115354.tif 000007